(57)【要約】      （修正有）【課題】蓋部の開封及び再封動作が容易で、開封後に蓋部を繰り返し開閉しても確実な再封が可能であり、長期間使用できる再封機能付き包装箱を提供する。【解決手段】再封機能付き包装箱は、第一の側面板１６の一端辺に延設され、筒体の一方の開口を閉鎖する蓋部の一部となる外蓋片４０と、第二の側面板２０の一端辺に延設され、外蓋片４０と重なって蓋部の一部となる内蓋片７２とを備え、外蓋片４０の延出方向の端辺に第一破断線５０を介して延設された補助板４８を備える。外蓋片４０の内側には、第二破断線４４で囲まれた切り抜き部４６が設けられ、補助板４８の延出方向の端辺には、再封用舌部５２が延設される。組み立て状態で、補助板４８が第一破断線５０で折り曲げられて外蓋片４０の内面側に重なって切り抜き部４６に糊付けされるとともに、再封用舌部５２が外蓋片４０の内面側に対向し、内蓋片７２が補助板４８の内面側に糊付けされる。【選択図】図２
0003235367.tif 000002
【実用新案登録請求の範囲】
【請求項１】
筒体を形成する複数の側面板と、前記複数の側面板の中の１つである第一の側面板の一端辺に延設され、前記筒体の一方の開口を閉鎖する蓋部の一部となる外蓋片と、前記第一の側面板と対向する第二の側面板の一端辺に延設され、前記外蓋片と重なって前記蓋部の一部となる内蓋片と、前記外蓋片の延出方向の端辺に第一破断線を介して延設された補助板とを備え、
前記外蓋片の内側には、第二破断線で囲まれた切り抜き部が設けられ、前記補助板の延出方向の端辺又は前記内蓋片の延出方向の端辺には、再封用舌部が延設されており、
組み立て状態で、前記補助板は、前記第一破断線で折り曲げられ、前記外蓋片の内面側に重なって前記切り抜き部に糊付けされるとともに、前記再封用舌部が前記外蓋片の内面側に対向し、前記内蓋片は、前記補助板の内面側に重なって糊付けされ、
前記蓋部を開封すると、前記第一及び第二破断線が破断し、前記内蓋片は、前記外蓋片から切り離された前記切り抜き部及び前記補助板と一体に開閉可能になり、前記外蓋片は、前記切り抜き部が抜け出た部分に再封用透孔が開口した状態で開閉可能になり、
前記外蓋片を倒して前記筒体の一端部を塞ぎ、前記外蓋片の外面側に前記内蓋片及び前記補助板を倒し、前記再封用舌部を前記再封用透孔の中に差し込んで、前記再封用舌部が前記再封用透孔の内面側の周縁部に係合することによって前記蓋部が閉鎖状態に保持されることを特徴とする再封機能付き包装箱。
【請求項２】
前記第一破断線が途中で中断され、前記補助板の内側に、前記第一破断線の中断された部分と切り込み線とで囲まれた摘み部が形成され、
組み立て状態で、前記摘み部は、前記第二の側面板を超えて側方に突出する請求項１記載の再封機能付き包装箱。
【請求項３】
前記内蓋片は、先端が幅狭な等脚台形状に形成され、
前記補助板の内側には、前記内蓋片に糊付けされた状態で前記内蓋片の２つの側辺と重なる位置に、補助折罫線が設けられている請求項１又は２記載の再封機能付き包装箱。
【請求項４】
一枚の箱体形成片を組み立てることによって形成される請求項１乃至３のいずれか記載の再封機能付き包装箱。
【考案の詳細な説明】
【技術分野】
【０００１】
本考案は、シールエンド型の蓋部を備えた再封機能付き包装箱に関する。
【背景技術】
【０００２】
従来、本願出願人による特許文献１に開示されているように、４つの側面板で形成された筒体と、４つの側面板の１つである第一の側面板の端部に延設された外側蓋片と、第一の側面板に対向する第二の側面板の端部に延設された内側蓋片とを備え、外側蓋片は、幅方向に横切る開封用破断線によって第一の側面板に連続する再封部とそれ以外の糊付け部とに区切られ、再封部の延出方向の端部は舌片状の再封用舌部になっており、内側蓋片の延出方向の端部に、再封用舌部と係合可能な再封用切り欠きが設けられ、組み立て状態で、内側蓋片の外面に外側蓋片の糊付け部の内面が糊付けられて蓋部が形成される包装箱があった。
【０００３】
この包装箱は、開封用破断線を破断させて開封すると、外側蓋片から糊付け部が分離して内側蓋片と一体になり、再封する時は、内側蓋片の外面に外側蓋片の再封部を重ね、再封部を内側蓋片の方向に指で押すと、再封用舌部が再封用切り欠きの内側に入って係合し、蓋部が閉鎖した状態に保持される。
【先行技術文献】
【特許文献】
【０００４】
【特許文献１】実用新案登録第３２０６２７４号公報
【考案の概要】
【考案が解決しようとする課題】
【０００５】
特許文献１の包装箱は、開封した後、蓋部を閉じたり開いたりする時に、再封部を押し込んだり引き上げたりする動作を行うので、開閉を繰り返すうちに再封部が変形したり破損したりして短期間のうちに再封できなくなるという指摘があり、改善が求められていた。
【０００６】
本考案は、上記背景技術に鑑みて成されたものであり、蓋部を開封及び再封が容易で、開封後に蓋部を繰り返し開閉しても確実な再封が可能であり、長期間使用できる再封機能付き包装箱を提供することを目的とする。
【課題を解決するための手段】
【０００７】
本考案は、筒体を形成する複数の側面板と、前記複数の側面板の中の１つである第一の側面板の一端辺に延設され、前記筒体の一方の開口を閉鎖する蓋部の一部となる外蓋片と、前記第一の側面板と対向する第二の側面板の一端辺に延設され、前記外蓋片と重なって前記蓋部の一部となる内蓋片と、前記外蓋片の延出方向の端辺に第一破断線を介して延設された補助板とを備え、前記外蓋片の内側には、第二破断線で囲まれた切り抜き部が設けられ、前記補助板の延出方向の端辺又は前記内蓋片の延出方向の端辺には、再封用舌部が延設されており、
組み立て状態で、前記補助板は、前記第一破断線で折り曲げられ、前記外蓋片の内面側に重なって前記切り抜き部に糊付けされるとともに、前記再封用舌部が前記外蓋片の内面側に対向し、前記内蓋片は、前記補助板の内面側に重なって糊付けされ、
前記蓋部を開封すると、前記第一及び第二破断線が破断し、前記内蓋片は、前記外蓋片から切り離された前記切り抜き部及び前記補助板と一体に開閉可能になり、前記外蓋片は、前記切り抜き部が抜け出た部分に再封用透孔が開口した状態で開閉可能になり、
前記外蓋片を倒して前記筒体の一端部を塞ぎ、前記外蓋片の外面側に前記内蓋片及び前記補助板を倒し、前記再封用舌部を前記再封用透孔の中に差し込んで、前記再封用舌部が前記再封用透孔の内面側の周縁部に係合することによって前記蓋部が閉鎖状態に保持される再封機能付き包装箱である。
【０００８】
前記第一破断線が途中で中断され、前記補助板の内側に、前記第一破断線の中断された部分と切り込み線とで囲まれた摘み部が形成され、組み立て状態で、前記摘み部は、前記第二の側面板を超えて側方に突出する構成にすることが好ましい。また、前記内蓋片は、先端が幅狭な等脚台形状に形成され、前記補助板の内側には、前記内蓋片に糊付けされた状態で前記内蓋片の２つの側辺と重なる位置に、補助折罫線が設けられている構成にすることが好ましい。また、一枚の箱体形成片を組み立てることによって形成される構成にすることが好ましい。
【考案の効果】
【０００９】
本考案の再封機能付き包装箱は、構造がシンプルで組み立てやすく、蓋部を開封する時の動作と再封する時の動作も容易である。また、開封した後、蓋部を開閉する時にストレスが加わるのは、内蓋片、補助板及び切り抜き部が重なって強度が増している部分なので、開閉を繰り返しても変形したり破損したりしにくく、長期間使用することができる。
【図面の簡単な説明】
【００１０】
【図１】本考案の再封機能付き包装箱の一実施形態の組み立て状態を示す斜視図（ａ）、蓋部の詳細な構造を示す斜視図（ｂ）である。
【図２】この実施形態の再封機能付き包装箱を展開した箱体形成片を表面側から見た平面図である。
【図３】この実施形態の再封機能付き包装箱を組み立てる途中の状態を示す平面図（ａ）、Ａ−Ａ断面図（ｂ）である。
【図４】この実施形態の再封機能付き包装箱の組み立て状態を示す平面図（ａ）、Ｂ−Ｂ断面図（ｂ）である。
【図５】この実施形態の再封機能付き包装箱を開封する動作を示す平面図（ａ）、Ｃ−Ｃ断面図（ｂ）である。
【図６】この実施形態の再封機能付き包装箱を再封する動作を示す平面図（ａ）、Ｄ−Ｄ断面図（ｂ）である。
【図７】この実施形態の再封機能付き包装箱の再封状態を示す平面図（ａ）、Ｅ−Ｅ断面図（ｂ）である。
【考案を実施するための形態】
【００１１】
以下、本考案の再封機能付き包装箱の一実施形態について、図面に基づいて説明する。この実施形態の再封機能付き包装箱１０は、図１（ａ）に示すように、略直方体のシールエンド型の蓋部を備えた箱であり、厚紙等で成る一枚の箱体形成片１２を組み立てることによって形成される。
【００１２】
箱体形成片１２は、図２に示すように、互いに平行に連接された４つの側面板１４，１６，１８，２０を有している。側面板１４，１６，１８，２０は、連接方向と直交する幅方向の長さが同じで、連接方向の長さは、側面板１４，１８が短くて互いにほぼ等しく、側面板１６，２０が長くて互いにほぼ等しい。さらに、側面板２０の連接方向の端部には、組み立て状態で側面板１４の裏面の端部に糊付けされる糊付け片２２が短く連接されている。４つの側面板１４，１６，１８，２０及び糊付け片２２は、各々折罫線２４，２６，２８，３０で区切られている。以下、側面板１６を第一の側面板１６、側面板２０を第二の側面板２０と称する。また、４つの側面板１４，１６，１８，２０の、図２における上側の端辺を蓋側の端辺と称し、下側の端辺を底側の端辺と称する。
【００１３】
側面板１４の蓋側の端辺には、台形状のサイドフラップ３２が延設され、折罫線３４で側面板１４と区切られている。また、側面板１４の底側の端辺には、サイドフラップ３６が延設され、折罫線３８で側面板１４と区切られている。
【００１４】
第一の側面板１６の蓋側の端辺には、略長方形の外蓋片４０が延設され、折罫線４２で第一の側面板１６と区切られている。外蓋片４０の延出方向長さは、側面板１４，１８の連接方向長さとほぼ同じで、内側のほぼ中央に、第二破断線４４で囲まれた切り抜き部４６が設けられている。
【００１５】
外蓋片４０の延出方向の端辺には、略四角形の補助板４８が延設され、第一破断線５０で外蓋片４０と区切られている。補助板４８の延出方向長さは、外蓋片４０の延出方向長さよりも少し短い。また、補助板４８の延出方向の端辺のほぼ中央部に再封用舌部５２が延設されており、補助板４８の内側に、再封用舌部５２の基端部から第一破断線５０の両端付近に向かって斜めに延びる２つの補助折罫線５４が設けられている。さらに、第一破断線５０が途中で中断され、補助板４８の内側に、第一破断線５０の中断された部分と切り込み線５６とで囲まれた摘み部５８が設けられている。
【００１６】
第一の側面板１６の底側の端辺には、略長方形の外底片６０が延設され、折罫線６２で第一の側面板１６と区切られている。外底片６０の延出方向長さは、側面板１４，１８の連接方向長さとほぼ同じである。
【００１７】
側面板１８の蓋側の端辺には、台形状のサイドフラップ６４が延設され、折罫線６６で側面板１８と区切られている。また、側面板１８の底側の端辺には、サイドフラップ６８が延設され、折罫線７０で側面板１８と区切られている。
【００１８】
第二の側面板２０の蓋側の端辺には、先端が幅狭な等脚台形状の内蓋片７２が延設され、折罫線７４で第二の側面板２０と区切られている。内蓋片７２の延出方向長さは、側面板１４，１８の連接方向長さの約4/7で、補助板４８の延出方向長さとほぼ同じか少し短い。内蓋片７２の２つの側辺７２ａの傾斜角は、補助板４８の補助折罫線５４の傾斜角とほぼ同じである。
【００１９】
第二の側面板２０の底側の端辺には、略長方形の内底片７６が延設され、折罫線７８で第二の側面板２０と区切られている。内底片７６の延出方向長さは、外底片６０の延出長さよりも少し短い。さらに、第二の側面板２０の底側の端部には、使用者が再封機能付き包装箱１０を廃棄する際に指で押圧する分解用押圧部８０が設けられている。分解用押圧部８０は、折罫線７８の中央部と分解用破断線８２の円弧状部分とで囲まれて、周囲と区切られている。分解用破断線８２は、円弧状部分の両端が折罫線７８に沿って外向き延びている。
【００２０】
次に、再封機能付き包装箱１０の組み立て方法の一例を説明する。ここでは、図２に示す箱体形成片１２の表面が凸になる折り方を正折り、裏面が凸になる折り方を逆折りと称する。
【００２１】
まず、外蓋片４０の切り抜き部４６の裏面に糊８４を塗布し、第一破断線５０を正折りして補助板４８を外蓋片４０に重ね、補助板４８を切り抜き部４６に糊付けする。この状態で、再封用舌部５２は、切り抜き部４６と重ならず、切り抜く部４６と折罫線４２の間に配置される。また、摘み部５８は、切り込み線５６から抜け出し、外蓋片４０と面一な状態で、第一折罫線５０を超えて外向きに突出する。
【００２２】
その後、折罫線３０を正折りして糊付け片２２を第二の側面板２０に重ね、糊付け片２２の表面に糊を塗布する。そして、折罫線２６を正折りして側面板１４及び第一の側面板１６を側面板１８及び第二の側面板２０に重ね、側面板１４を糊付け片２２に糊付けする。箱体形成片１２は、この折り畳み状態で、収容物を包装する工場等に出荷される。
【００２３】
次に、収容物を包装する工場等、折り畳み状態の箱体形成片１２を立体的に組み立てる。まず、折罫線２４，２６，２８，３０を各々９０度に正折りし、四角形の筒体８６を形成する。その後、筒体８６の一端部を塞ぐ底部８８を設けるため、折罫線３８，７０でサイドフラップ３６，６８を各々９０度に正折りし、折罫線８０及び分解用破断線８２で内底片７６を９０度に正折りする。その後、外底片６０の裏面中央部に糊を塗布し、折罫線６２で外底片６０を９０度に正折りし、外底片６０を内底片７６に糊付けする。これで底部８８が形成されたので、筒体８６の開放している蓋側の端部から、収容物を中に入れる。
【００２４】
収容物を入れると、筒体８６の蓋側の端部を蓋部９０で塞ぐため、折罫線３４，６６でサイドフラップ３２，６４を９０度に正折りし、折罫線７４で内蓋片７２を９０度に正折りする。さらに、図３（ａ）、（ｂ）に示すように、内蓋片７２の表面中央部に糊９２を塗布した後、折罫線４２で外蓋片４０を９０度に正折りし、補助板４８の表面を内蓋片６４に糊付けする。これで図４（ａ）、（ｂ）に示す蓋部９０が形成され、図１（ａ）、（ｂ）に示す再封機能付き包装箱１０の組み立て状態になる。
【００２５】
組み立て状態における蓋部９０の構造を改めて説明すると、補助板４８は、第一破断線５０で折り曲げられ、外蓋片４０の内面側に重なって切り抜き部４６に糊付けされるとともに、再封用舌部５２が外蓋片の内面側に対向する。内蓋片７２は、補助板４８の内面側に重なって糊付けされ、２つの側辺７２ａが補助板４８の２つの補助折罫線５４とほぼ重なる。また、補助板４８の摘み部５８は、第二の側面板２０を超えて僅かに側方に突出する。
【００２６】
次に、再封機能付き包装箱１０の蓋部９０を開封及び再封する時の動作を順に説明する。再封機能付き包装箱１０を開封する時は、摘み部５８を指で摘まみ、外蓋片４０を引き上げる方向に力を加え、第一破断線５０を破断させる。摘み部５８は、第二の側面板２０を超えて側方に突出しているので、容易に摘まむことができる。第一破断線５０が破断すると、外蓋片４０をさらに引き上げて第二破断線４４を破断させ、補助板４８に糊付けされた切り抜き部４６を外蓋片４０から分離させる。この第一及び第二破断線５０，４４を破断させる動作は、ほぼ１アクションで行うことができる。そして、この動作を行うことによって、外蓋片４０の、切り抜き部４６があった位置に、再封用透孔９４が開口する。
【００２７】
第一及び第二破断線５０，４４を破断させた後は、図５（ａ）、（ｂ）に示すように外蓋片４０を開き、切り抜き部４６及び補助板４８が糊付けされて一体になった内蓋片７２を引き上げて開き、サイドフラップ３２，６４を引き上げて開き、箱体の中の収容物を取り出す。
【００２８】
蓋部９０を再封するときは、折罫線３４，６６でサイドフラップ３２，６４を９０度に正折りした後、図６（ａ）、（ｂ）に示すように折罫線４２で外蓋片４０を正折りし、さらに折罫線７４で内蓋片７２を正折りし、内蓋片７２、補助板４８及び切り抜き部４６を外蓋片４０の外面側に重ね、この状態で、切り抜き部４６（又は補助板４８と内蓋片７２とが重なった台形状の領域）を指で軽く押し込む。すると、内蓋片７２に押されて外蓋片４０が沈み込み、補助板４８の再封用舌部５２が外蓋片４０の再封用透孔９４の中に入る。
【００２９】
その後、切り抜き部４６から指を離すと、沈み込んだ外蓋片４０が元に戻るので、再封用舌部５２が再封用透孔９４の中にさらに深く入り込み、再封用透孔９４の内面側の周縁部にしっかりと係合し、図７（ａ）、（ｂ）に示す再封状態になる。
【００３０】
再封する時に指で押し込む部分は、２枚又は３枚の紙基材が重なって強度が増しているので、変形したり破損したりしにくい。また、補助板７２には補助折罫線５４が設けてあり、指で押し込んだ時、補助折罫線５４で区切られた両角部（内蓋片７２と重なっていない三角形の領域）が僅かに上向きに屈曲するので、台形状の領域の先端に設けた再封用舌部５２を、再封用透孔９４の中に無理なくスムーズに入れることができる。
【００３１】
再封機能付き包装箱１０を廃棄するときは、まず、第二の側面板２０の分解用押圧部８０を指で押して分解用破断線８０の円弧状の部分を破断させ、さらに、分解用押圧部８０及び底部８８を第二の側面板２０から引き離す方向に力を加え、分解用破断線７８の残りの部分を破断させて底部８８を解体する。そして、２つの底片６０，７６とサイドフラップ３６，６８とを引き上げると全体を平坦に折り畳むことができ、再封機能付き包装箱１０をコンパクトに廃棄することができる。
【００３２】
以上説明したように、再封機能付き包装箱１０は、構造がシンプルで組み立てやすく、蓋部９０の開封と再封も容易である。また、開封した後、蓋部９０を開閉する時にストレスが加わるのは、内蓋片７２、補助板４８及び切り抜き部４６が重なって強度が増している部分なので、開閉を繰り返しても変形したり破損したりしにくく、長期間使用することができる。
【００３３】
また、医薬品等の包装に使用される包装箱は、開封前か開封後かを一目で見分けられることが求められるが、再封機能付き包装箱１０の場合、開封前（組み立て状態）の蓋部９０は、ほぼ外蓋片４０の表面側（紙基材の綺麗な表面側）だけが見えるのに対し、再封した状態の蓋部９０は、補助板４８の裏面側（紙基材の裏面側）が大きく露出して独特な外観になるので、開封前か開封後かを一目で見分けることができる。したがって、再封機能付き包装箱１０は、医薬品等の包装箱として使用するのに好適である。
【００３４】
なお、本考案の再封機能付き包装箱は、上記実施形態に限定されるものではない。例えば、再封機能付き包装箱１０が有する再封用舌部５２、再封用透孔９４（切り抜き部４６）及び補助板４８の形状や大きさは、上述した開封及び再封の動作が良好に行われる範囲で、適宜変更することができる。また、再封機能付き包装箱１０では、再封用舌部５２を補助板４８の端辺に設けているが、補助板４８の端辺ではなく、内蓋片７２の端辺に設けてもよく、ほぼ同様の作用効果が得られる。
【００３５】
その他、開封時に使用する摘み部５８や、再封動作を容易にする補助折罫線５４は、必要に応じて省略することができる。また、底部８８の形態は自由に変更することができ、例えば、底部の構造を上記の蓋部９０と同様の構造にすることも可能である。
【符号の説明】
【００３６】
１０  再封機能付き包装箱
１２  箱体形成片
１４，１８  側面板
１６  第一の側面板
２０  第二の側面板
４０  外蓋片
４４  第二破断線
４６  切り抜き部
４８  補助板
５０  第一破断線
５２  再封用舌片
５４  補助折罫線
５６  切り込み線
５８  摘み部
７２  内蓋片
７２ａ  側辺
８４，９２  糊
８６  筒体
９０  蓋部
９４  再封用透孔
【図１】
0003235367.tif 000003
【図２】
0003235367.tif 000004
【図３】
0003235367.tif 000005
【図４】
0003235367.tif 000006
【図５】
0003235367.tif 000007
【図６】
0003235367.tif 000008
【図７】
0003235367.tif 000009